(57)【要約】【課題】テレビ放送信号を複数のテレビ端子まで伝送するテレビ放送信号伝送システムにおいて、各テレビ端子に接続されるテレビ受信装置の動作時にテレビ放送信号を伝送し得る範囲内で、伝送機器の動作期間を最小限に抑え、システムの省エネ化を図る。【解決手段】テレビ端子とテレビ受信装置との間にそれぞれ接続アダプタ３０を設ける。接続アダプタ３０は、テレビ端子からテレビ受信装置へテレビ放送信号を中継し、かつ、商用電源をテレビ受信装置へ供給するものであり、電流検出回路４０にてテレビ受信装置に供給される電源電流を検出し、コンパレータ４２にて電流量が所定値以上か否か（つまりテレビ受信装置が受信動作中か否か）を判定し、受信動作中であるときにだけ、伝送機器への電源供給を許可する許可信号をテレビ端子１４へ出力する。また、伝送機器の電源装置は、伝送線を介して許可信号を受信しているときにだけ、電源電圧を生成する。【選択図】図２
2011229138.tif 000002
【特許請求の範囲】
【請求項１】
テレビ放送信号伝送用の伝送機器、及び、外部電源から電源供給を受けて前記伝送機器駆動用の電源電圧を生成し当該電源電圧を前記伝送機器に供給する電源装置、が設けられた伝送線を介して、テレビ放送信号を複数のテレビ端子まで伝送するテレビ放送信号伝送システムにおいて、
前記各テレビ端子からテレビ受信装置には、それぞれ、接続アダプタを介して前記テレビ放送信号を入力するよう構成すると共に、
前記各接続アダプタには、
前記テレビ端子に接続されて前記テレビ端子から前記テレビ放送信号を取り込むための入力端子と、
該入力端子を介して前記テレビ端子から取り込んだテレビ放送信号を前記テレビ受信装置に出力するための出力端子と、
外部電源を取り込むための電源プラグと、
該電源プラグから入力された外部電源を前記テレビ受信装置に供給するための電源コンセントと、
該電源コンセントから電源供給を受けるテレビ受信装置が前記テレビ放送信号を受信中であるか否かを判定する判定手段と、
該判定手段にて、前記テレビ受信装置が前記テレビ放送信号を受信中であると判定されているとき、前記電源装置から前記伝送機器への前記電源電圧の供給を許可する許可信号を、前記入力端子から前記テレビ端子に出力させる制御手段と、
を設け、
前記電源装置には、前記接続アダプタの少なくとも一つから前記テレビ端子及び前記伝送線を介して前記許可信号が伝送されてくると、前記伝送機器へ前記電源電圧を供給し、前記各接続アダプタから前記許可信号が伝送されてこないときには、前記伝送機器への前記電源電圧の供給を停止する電源供給切換手段を設けたことを特徴とするテレビ放送信号伝送システム。
【請求項２】
前記電源装置において、前記電源供給切換手段は、
前記接続アダプタの少なくとも一つから前記テレビ端子及び前記伝送線を介して前記許可信号が伝送されてくると、前記外部電源から電源供給を受けて前記伝送機器駆動用の電源電圧を生成する電源回路を動作させ、前記各接続アダプタから前記許可信号が伝送されてこないときには、当該電源回路の動作を停止させることにより、前記伝送機器への前記電源電圧の供給／停止を切り換えることを特徴とする請求項１に記載のテレビ放送信号伝送システム。
【請求項３】
前記判定手段は、
前記電源プラグから前記電源コンセントに至る外部電源の給電経路上に設けられ、該給電経路を流れる電流量を検出する電流検出回路と、
該電流検出回路にて検出された電流量が予め設定された閾値以上であるとき、前記テレビ受信装置が前記テレビ放送信号を受信中であると判定する判定回路と、
を備えたことを特徴とする請求項１又は請求項２に記載のテレビ放送信号伝送システム。
【請求項４】
前記判定手段は、
前記テレビ受信装置を遠隔操作するリモートコントロール装置からの送信信号を受信する受信手段と、
該受信手段にて受信された前記リモートコントロール装置からの送信信号に基づき、前記テレビ受信装置がテレビ放送信号を受信中であるか否かを判定する操作判定手段と、
を備えたことを特徴とする請求項１又は請求項２に記載のテレビ放送信号伝送システム。
【請求項５】
前記電源装置は、前記複数のテレビ端子の一つに接続されて、当該テレビ端子から前記伝送線を介して前記伝送機器に電源電圧を供給するよう構成されていることを特徴とする請求項１〜請求項４の何れか１項に記載のテレビ放送信号伝送システム。
【請求項６】
前記電源装置は、前記伝送機器に内蔵されていることを特徴とする請求項１〜請求項４の何れか１項に記載のテレビ放送信号伝送システム。
【発明の詳細な説明】
【技術分野】
【０００１】
本発明は、テレビ放送信号を複数のテレビ端子まで伝送するテレビ放送信号伝送システムに関する。
【背景技術】
【０００２】
従来、テレビ放送信号伝送システムには、通常、テレビ放送信号を伝送する伝送線上に、テレビ放送信号を増幅する増幅器や、テレビ放送信号のチャンネル配列を変更する周波数変換器等の伝送機器が設けられている。
【０００３】
そして、この種の伝送機器は、伝送機器に内蔵された電源装置から直接電源供給を受けて動作するか、或いは、伝送線に接続された電源装置から伝送線を介して電源供給を受けて動作するようにされている。
【０００４】
ところで、この種の伝送機器は、複数のテレビ端子にそれぞれ接続されるテレビ受信装置（テレビ受像器、テレビチューナ、録画装置等）へのテレビ放送信号の入力レベルやチャンネル配列を設定するためのものであることから、端末側のテレビ受信装置がテレビ放送信号を受信していないときには、伝送機器の動作を停止させても問題はない。
【０００５】
そこで、従来では、端末側のテレビ端子とテレビ受信装置との間に設けられて伝送線上の増幅器（ブースタ）に電源供給を行う電源装置内、若しくは、この電源装置とテレビ受信装置との間に設けられる端末機器内に、テレビ受信装置の動作状態を検出して、テレビ受信装置が動作しているときに、電源装置から増幅器への電源供給を実行させ、テレビ受信装置が動作を停止しているときには、電源装置から増幅器への電源供給を停止させる電源制御装置を設けることが提案されている（例えば、特許文献１等参照）。
【０００６】
そして、この提案の電源制御装置によれば、テレビ受信装置が動作を停止しているときに、電源装置から増幅器への電源供給を停止させるので、増幅器における電力消費量を抑えて、テレビ放送信号伝送システムの省エネ化を図ることができる。
【先行技術文献】
【特許文献】
【０００７】
【特許文献１】特開平６−２４５２１１号公報
【発明の概要】
【発明が解決しようとする課題】
【０００８】
しかし、上記提案の電源制御装置は、テレビ受信装置が接続される電源装置、若しくは、電源装置とテレビ受信装置との間の端末機器に内蔵されて、電源装置若しくは端末機器に接続されるテレビ受信装置の動作状態を判定することにより、電源装置から増幅器への電源供給を実行・停止させるものであるので、増幅器で増幅されたテレビ放送信号を分岐・分配して複数のテレビ端子まで伝送するテレビ放送信号伝送システムに適用することはできなかった。
【０００９】
つまり、上記提案の電源制御装置は、電源装置に接続されるテレビ受信装置の動作状態に応じて電源装置から増幅器への電源供給を切り換えることから、テレビ受信装置が接続されるテレビ端子を複数備えたテレビ放送信号伝送システムに適用すると、電源装置が設けられないテレビ端子に接続されたテレビ受信装置の動作状態に関係なく、電源装置から増幅器への電源供給が切り換えられることになる。
【００１０】
従って、複数のテレビ端子を備えたテレビ放送信号伝送システムでは、上記提案の電源制御装置を採用することができず、複数のテレビ端子を備えたテレビ放送信号伝送システムでは、増幅器等の伝送機器の省エネ化を図ることができないという問題があった。
【００１１】
本発明は、こうした問題に鑑みなされたものであり、テレビ放送信号を複数のテレビ端子まで伝送するテレビ放送信号伝送システムにおいて、各テレビ端子に接続されるテレビ受信装置の動作時にテレビ放送信号を伝送し得る範囲内で、伝送線上に設けられる伝送機器の動作期間を最小限に抑えることができるようにすることを目的とする。
【課題を解決するための手段】
【００１２】
かかる目的を達成するためになされた請求項１に記載の発明は、
テレビ放送信号伝送用の伝送機器、及び、外部電源から電源供給を受けて前記伝送機器駆動用の電源電圧を生成し当該電源電圧を前記伝送機器に供給する電源装置、が設けられた伝送線を介して、テレビ放送信号を複数のテレビ端子まで伝送するテレビ放送信号伝送システムにおいて、
前記各テレビ端子からテレビ受信装置には、それぞれ、接続アダプタを介して前記テレビ放送信号を入力するよう構成すると共に、
前記各接続アダプタには、
前記テレビ端子に接続されて前記テレビ端子から前記テレビ放送信号を取り込むための入力端子と、
該入力端子を介して前記テレビ端子から取り込んだテレビ放送信号を前記テレビ受信装置に出力するための出力端子と、
外部電源を取り込むための電源プラグと、
該電源プラグから入力された外部電源を前記テレビ受信装置に供給するための電源コンセントと、
該電源コンセントから電源供給を受けるテレビ受信装置が前記テレビ放送信号を受信中であるか否かを判定する判定手段と、
該判定手段にて、前記テレビ受信装置が前記テレビ放送信号を受信中であると判定されているとき、前記電源装置から前記伝送機器への前記電源電圧の供給を許可する許可信号を、前記入力端子から前記テレビ端子に出力させる制御手段と、
を設け、
前記電源装置には、前記接続アダプタの少なくとも一つから前記テレビ端子及び前記伝送線を介して前記許可信号が伝送されてくると、前記伝送機器へ前記電源電圧を供給し、前記各接続アダプタから前記許可信号が伝送されてこないときには、前記伝送機器への前記電源電圧の供給を停止する電源供給切換手段を設けたことを特徴とする。
【００１３】
また、請求項２に記載の発明は、請求項１に記載のテレビ放送信号伝送システムにおいて、前記電源装置に設けられる前記電源供給切換手段は、
前記接続アダプタの少なくとも一つから前記テレビ端子及び前記伝送線を介して前記許可信号が伝送されてくると、前記外部電源から電源供給を受けて前記伝送機器駆動用の電源電圧を生成する電源回路を動作させ、前記各接続アダプタから前記許可信号が伝送されてこないときには、当該電源回路の動作を停止させることにより、前記伝送機器への前記電源電圧の供給／停止を切り換えることを特徴とする。
【００１４】
また次に、請求項３に記載の発明は、請求項１又は請求項２に記載のテレビ放送信号伝送システムにおいて、前記判定手段は、
前記電源プラグから前記電源コンセントに至る外部電源の給電経路上に設けられ、該給電経路を流れる電流量を検出する電流検出回路と、
該電流検出回路にて検出された電流量が予め設定された閾値以上であるとき、前記テレビ受信装置が前記テレビ放送信号を受信中であると判定する判定回路と、
を備えたことを特徴とする。
【００１５】
また、請求項４に記載の発明は、請求項１又は請求項２に記載のテレビ放送信号伝送システムにおいて、前記判定手段は、
前記テレビ受信装置を遠隔操作するリモートコントロール装置からの送信信号を受信する受信手段と、
該受信手段にて受信された前記リモートコントロール装置からの送信信号に基づき、前記テレビ受信装置がテレビ放送信号を受信中であるか否かを判定する操作判定手段と、
を備えたことを特徴とする。
【００１６】
また、請求項５に記載の発明は、請求項１〜請求項４の何れか１項に記載のテレビ放送信号伝送システムにおいて、前記電源装置は、前記複数のテレビ端子の一つに接続されて、当該テレビ端子から前記伝送線を介して前記伝送機器に電源電圧を供給するよう構成されていることを特徴とする。
【００１７】
また、請求項６に記載の発明は、請求項１〜請求項４の何れか１項に記載のテレビ放送信号伝送システムにおいて、前記電源装置は、前記伝送機器に内蔵されていることを特徴とする。
【発明の効果】
【００１８】
請求項１に記載のテレビ放送信号伝送システムにおいては、複数のテレビ端子とテレビ受信装置との間に、それぞれ、接続アダプタが配置される。
そして、各接続アダプタには、テレビ端子からテレビ放送信号を受けてテレビ受信装置へ出力するための入力端子及び出力端子と、外部電源を取り込みテレビ受信装置へ供給するための電源プラグ及び電源コンセントとが設けられるだけでなく、当該接続アダプタに接続されたテレビ受信装置がテレビ放送信号を受信中であるか否かを判定する判定手段と、この判定手段にてテレビ受信装置がテレビ放送信号を受信中であると判定されているときに、電源装置から伝送機器への電源電圧の供給を許可する許可信号を、入力端子からテレビ端子へと出力させる制御手段が設けられている。
【００１９】
また、伝送線上の伝送機器に電源電圧を供給する電源装置には、各テレビ端子に接続された複数の接続アダプタの少なくとも一つからテレビ端子及び伝送線を介して許可信号が伝送されてくると、伝送機器へ電源電圧を供給し、各接続アダプタから許可信号が伝送されてこないときには、伝送機器への電源電圧の供給を停止する電源供給切換手段が設けられている。
【００２０】
このため、本発明のテレビ放送信号伝送システムによれば、接続アダプタを介して各テレビ端子からテレビ放送信号を受ける複数のテレビ受信装置の全てが動作停止状態であるとき、電源装置から伝送機器への電源電圧の供給を停止させ、複数のテレビ受信装置の一つでも動作状態であれば、電源装置から伝送機器へ電源電圧を供給させることができる。
【００２１】
よって、本発明のテレビ放送信号伝送システムによれば、テレビ受信装置の動作時にテレビ放送信号が伝送されなくなるのを防止し得る範囲内で、伝送機器の動作期間を最小限に抑えることができるようになり、延いては、当該テレビ放送信号伝送システムでの電力消費量を必要最小限に抑えて、テレビ放送信号伝送システムを良好に省エネ化することができる。
【００２２】
次に、請求項２に記載のテレビ放送信号伝送システムにおいて、電源供給切換手段は、接続アダプタの少なくとも一つから許可信号が伝送されてくると、伝送機器駆動用の電源電圧を生成する電源回路を動作させ、各接続アダプタから許可信号が伝送されてこないときには、電源回路の動作を停止させることから、電源装置での消費電力量も必要最小限に抑えることができるようになり、テレビ放送信号伝送システムの省エネ化をより促進することができる。
【００２３】
つまり、電源装置から伝送機器への電源供給を停止させるには、例えば、電源装置内で生成した伝送機器駆動用の電源電圧を電源装置から伝送機器へ出力する出力経路上に、その経路を導通・遮断するスイッチを設け、各接続アダプタから許可信号が伝送されてこないときには、そのスイッチをオフ状態にするようにしてもよい。
【００２４】
しかし、電源装置をこのように構成した場合には、伝送機器の動作を停止させたときにでも、電源装置内で電源電圧を生成するのに用いられる電源回路は動作することになり、その電源回路の動作によって外部電源が無駄に消費されることになる。
【００２５】
これに対し、請求項２に記載のテレビ放送信号伝送システムでは、各接続アダプタから電源装置に許可信号が伝送されてこないときには、電源供給切換手段が、電源回路の動作を停止させることから、電源回路による電力消費についても必要最小限に抑えることができ、テレビ放送信号伝送システムをより良好に省エネ化することができるようになるのである。
【００２６】
また次に、請求項３に記載のテレビ放送信号伝送システムにおいては、判定手段が、外部電源に接続される電源プラグから電源コンセントを介してテレビ受信装置に供給される電流量を電流検出回路にて検出し、その検出した電流量が予め設定された閾値以上であれば、判定回路にて、テレビ受信装置がテレビ放送信号を受信中であると判定するよう構成されている。
【００２７】
このため、請求項３に記載のテレビ放送信号伝送システムによれば、各テレビ端子に接続されるテレビ受信装置の動作状態を、テレビ受信装置に流れる電流量（延いてはテレビ受信装置の消費電力）に基づき正確に判定して、電源装置から伝送機器への電圧供給の実行・停止を切り換えることができるようになる。
【００２８】
一方、請求項４に記載のテレビ放送信号伝送システムにおいては、判定手段が、受信手段にて、テレビ受信装置を遠隔操作するリモートコントロール装置からの送信信号を受信し、操作判定手段にて、その受信されたリモートコントロール装置からの送信信号に基づき、テレビ受信装置がテレビ放送信号を受信中であるか否かを判定するよう構成されている。
【００２９】
従って、請求項４に記載のテレビ放送信号伝送システムによれば、テレビ受信装置がリモートコントロール装置からの送信信号に従い動作するよう構成されている場合に、そのリモートコントロール装置からの送信信号に基づきテレビ受信装置の動作状態を判定して、電源装置から伝送機器への電圧供給の実行・停止を切り換えることができるようになる。
【００３０】
また次に、請求項５に記載のテレビ放送信号伝送システムにおいては、電源装置が、複数のテレビ端子の一つに接続されており、請求項６に記載のテレビ放送信号伝送システムにおいては、電源装置が、伝送機器に内蔵されているが、いずれのテレビ放送信号伝送システムでも、端末側の各接続プラグから各テレビ端子に出力された許可信号を、伝送線を介して電源装置に伝送することができる。よって、本発明（請求項１〜４）は、請求項５，６のいずれのテレビ放送信号伝送システムに適用しても、上記と同様の効果を得ることができる。
【図面の簡単な説明】
【００３１】
【図１】実施形態のテレビ放送信号伝送システム全体の構成を表す概略構成図である。
【図２】実施形態の接続アダプタの構成を表すブロック図である。
【図３】実施形態の電源装置の構成を表すブロック図である。
【図４】接続アダプタの変形例を表すブロック図である。
【図５】電源装置を内蔵したブースタの構成を表すブロック図である。
【発明を実施するための形態】
【００３２】
以下に本発明の実施形態を図面と共に説明する。
本実施形態のテレビ放送信号伝送システムは、所謂ホーム共同受信を行うためのものであり、図１に示すように、テレビ放送信号の受信アンテナとして、ＶＨＦ帯のテレビ放送電波を受信するＶＨＦアンテナ２と、ＵＨＦ帯のテレビ放送電波を受信するＵＨＦアンテナ４と、放送衛星（ＢＳ）や通信衛星（ＣＳ）を介して配信される衛星放送電波を受信する衛星受信アンテナ６を備える。
【００３３】
そして、ＶＨＦアンテナ２及びＵＨＦアンテナ４からの受信信号は混合器８で混合された後、ブースタ１０に入力され、衛星受信アンテナ６からの受信信号もブースタ１０に入力される。
【００３４】
ブースタ１０は、上記各アンテナ２，４，６からの受信信号（換言すれば各放送チャンネルのテレビ放送信号）を所定レベルまで増幅するためのものであり、端末側に設けられた電源装置５０から、同軸ケーブルからなる伝送線Ｌを介して伝送されてくる直流の電源電圧（例えばＤＣ１５Ｖ）を受けて動作するように構成されている。
【００３５】
また、ブースタ１０で増幅された受信信号は、分配器１２にて分配（図では４分配）され、分配器１２の各分配出力端子に接続された伝送線Ｌを介して、建造物内の各部屋に設置されたテレビ端子１４，１６，…までそれぞれ伝送される。
【００３６】
テレビ端子１４，１６，…は、各部屋に設置されたテレビ受信装置２８（テレビ受像器、テレビチューナ、録画装置等）に受信信号を配信するためのものであり、テレビ受信装置２８のアンテナ入力端子に同軸ケーブルを介して接続するためのコネクタ（詳しくはＦ型コネクタ）を１又は複数備えている。
【００３７】
そして、本実施形態のテレビ放送信号伝送システムにおいては、テレビ端子１４，１６，…のコネクタにテレビ受信装置２８を接続する際には、接続アダプタ３０を介して行うようにされている。
【００３８】
なお、図１には、テレビ受信装置２８及び接続アダプタ３０は一組だけ記載されているが、接続アダプタ３０は、各部屋に設けられるテレビ受信装置２８毎に、テレビ受信装置２８とテレビ端子１４，１６，…との間に設けられる。
【００３９】
次に、接続アダプタ３０は、テレビ端子１４，１６，…とテレビ受信装置２８との間に設けられて、テレビ端子１４，１６，…のコネクタから出力される受信信号をテレビ受信装置２８のアンテナ入力端子に入力すると共に、建造物内の各部屋に設置された電源コンセント２４，２６，…から商用電源を取り込み、その取り込んだ商用電源をテレビ受信装置２８に供給するものであり、図２に示すように構成されている。
【００４０】
すなわち、接続アダプタ３０には、テレビ端子１４，１６，…のコネクタに同軸ケーブルを介して接続されて受信信号（テレビ放送信号）を取り込むための入力端子Ｔ１と、入力端子Ｔ１を介してテレビ端子１４，１６，…から取り込んだ受信信号をテレビ受信装置２８に出力するための出力端子Ｔ２と、これら各端子Ｔ１，Ｔ２間を接続して受信信号を伝送するための伝送線Ｌ１と、各部屋の電源コンセント２４，２６，…に差し込まれて商用電源（例えばＡＣ１００Ｖ）を取り込むための電源プラグ３２と、この電源プラグから入力された商用電源をテレビ受信装置２８に供給するための電源コンセント３４と、これら電源プラグ３２，電源コンセント３４間を接続して商用電源の給電経路を形成する電源線Ｄ１と、が設けられている。
【００４１】
また、接続アダプタ３０には、電源線Ｄ１に設けられた検出部３８を介して電源線Ｄ１に流れる電流量を検出する電流検出回路４０と、電流検出回路４０からの検出電圧が閾値電圧Ｖｔｈ以上であるか否かを判定することにより、電源コンセント３４に接続されたテレビ受信装置２８の消費電流量が所定の閾値以上であるか否かを判定するコンパレータ４２と、コンパレータ４２でテレビ受信装置２８の消費電流量が所定の閾値以上であると判定されると（換言すれば検出電圧が閾値電圧Ｖｔｈ以上であるとき）、テレビ受信装置２８がテレビ放送信号を受信中であると判断して、電源装置５０からブースタ１０への直流電源電圧の供給を許可する許可信号を生成し、入力端子Ｔ１からテレビ端子１４，１６，…に出力させる信号生成回路４４と、電源線Ｄ１から商用電源の電源供給を受けて、上記各回路の駆動電圧（直流電圧）を生成する電源回路４８と、が備えられている。
【００４２】
信号生成回路４４は、受信信号に比べて極めて低い周波数帯の信号（例えば、トーン信号）を許可信号として生成するものであり、その生成された許可信号は、ローパスフィルタ（ＬＰＦ）４６を介して入力端子Ｔ１に出力される。
【００４３】
なお、信号生成回路４４にて生成される許可信号は、混信により電源装置５０側で許可信号を認識できなくなるのを防止するため、当該テレビ放送信号伝送システムに設けられる接続アダプタ３０毎に異なる周波数帯に設定される。このため、信号生成回路４４は、外部操作によって、生成する許可信号の種別（周波数帯域）を、複数のものの中から選択できるように構成されている。
【００４４】
また次に、入力端子Ｔ１と出力端子Ｔ２とを接続する伝送線Ｌ１上には、入力端子Ｔ１から入力された受信信号を出力端子Ｔ２側に伝送し、ＬＰＦ４６を介して入力端子Ｔ１（換言すれば伝送線Ｌ１）に入力される許可信号が出力端子Ｔ２側に伝送されるのを阻止するハイパスフィルタ（ＨＰＦ）３６が設けられている。
【００４５】
このため、接続アダプタ３０からテレビ端子１４，１６，…には、電源コンセント３４に接続されたテレビ受信装置２８がテレビ放送信号を受信中であるときに、許可信号が出力されることになる。
【００４６】
そして、接続アダプタ３０から出力された許可信号は、建造物内に配線された伝送線Ｌを介して分配器１２側に伝送されるが、分配器１２には、各分配端子間で低周波の許可信号を通過させるための信号経路が形成されている。
【００４７】
従って、テレビ端子１４，１６，…に接続された接続アダプタ３０からの許可信号は、分配器１２を介してテレビ放送信号伝送システムの全ての伝送線Ｌに伝送され、電源装置５０が伝送線Ｌのどの位置に配置されていても、電源装置５０には各接続アダプタ３０からの許可信号が伝送されることになる。
【００４８】
次に、電源装置５０は、テレビ端子１６のコネクタに同軸ケーブルを介して接続されている。
図３（ａ）に示すように、電源装置５０は、建造物内の各部屋に設置された商用電源の電源コンセント２４，２６，…に接続可能な電源プラグ５２と、電源プラグ５２を介して入力された商用電源からブースタ１０駆動用の電源電圧（例えばＤＣ１５Ｖ）を生成するシステム用電源回路５４と、テレビ端子１６のコネクタに同軸ケーブルを介して接続可能な出力端子Ｔ３とを備え、システム用電源回路５４にて生成された電源電圧を出力端子Ｔ３からテレビ端子１６（延いては伝送線Ｌ）へと出力するように構成されている。
【００４９】
また、出力端子Ｔ３とシステム用電源回路５４との間の電源電圧の出力経路上には、直流信号成分のみを通過させ、他の信号成分を遮断する直流通過フィルタ５６が設けられており、この直流通過フィルタ５６と出力端子Ｔ３との間の出力経路には、通過周波数帯域が許可信号の周波数帯域に設定されて、伝送線Ｌを流れる許可信号のみを選択的に通過させるフィルタ回路５８の一端が接続されている。
【００５０】
このため、テレビ端子１４，１６，…に接続された接続アダプタ３０から出力された許可信号は、伝送線Ｌを介して電源装置５０に入力され、電源装置５０内でフィルタ回路５８により抽出されることになる。
【００５１】
また、電源装置５０内でフィルタ回路５８により抽出された許可信号は、電源切換回路６０に入力される。
電源切換回路６０は、フィルタ回路５８を介して許可信号が入力されているか否かを判定する判定回路と、システム用電源回路５４内に設けられたリレー等からなる電源スイッチ６８を駆動する駆動回路とから構成されており、判定回路にて許可信号が入力されていると判定すると、駆動回路を介して電源スイッチ６８をオンさせ、判定回路にて許可信号は入力されていないと判定すると、駆動回路による電源スイッチ６８の駆動を停止して、電源スイッチ６８をオフさせる。
【００５２】
また、このように、電源切換回路６０は、判定回路や駆動回路から構成されており、電源切換回路６０を動作させるには、電源切換回路６０に電源供給を行う必要があるため、電源装置５０には、システム用電源回路５４とは別に、内部回路用電源回路６２が設けられている。
【００５３】
なお、内部回路用電源回路６２は、電源切換回路６０等の内部回路を動作させるのに必要な電源電圧を生成するためのものであり、電源プラグ５２を介して入力される商用電源を整流・平滑することで、電源切換回路６０等の内部回路駆動用の電源電圧（例えば、ＤＣ５Ｖ）を生成する。
【００５４】
また、システム用電源回路５４は、上述したリレー等からなる電源スイッチ６８を介して、商用電源を取り込み、その商用電源（例えばＡＣ１００Ｖ）を整流・平滑することで直流電圧を生成する整流平滑回路６４と、この整流平滑回路６４から出力される直流電圧をブースタ１０駆動用の電源電圧（例えば、ＤＣ１５Ｖ）に変換するＤＣ−ＤＣコンバータ等からなるレギュレータ６６とから構成されている（図３（ｂ）参照）。
【００５５】
従って、本実施形態のテレビ放送信号伝送システムにおいては、テレビ端子１４，１６，…に接続された複数の接続アダプタ３０の少なくとも一つから許可信号が出力されている場合には、その許可信号が電源装置５０に入力されて、システム用電源回路５４が動作することになる。
【００５６】
そして、この場合、システム用電源回路５４の動作により、ブースタ１０駆動用の電源電圧（例えば、ＤＣ１５Ｖ）が生成され、この電源電圧が伝送線Ｌを介してブースタ１０に供給されることから、ブースタ１０が通常動作し、受信信号を増幅するので、端末側のテレビ受信装置２８には受信信号を適正レベルで入力することができるようになる。
【００５７】
一方、接続アダプタ３０を介して各テレビ端子１４，１６，…からテレビ放送信号を受ける複数のテレビ受信装置２８の全てが動作停止状態であるときには、テレビ受信装置２８の消費電力が通常動作時に比べて著しく低下し、電流検出回路４０にて検出される電流量が閾値電圧Ｖｔｈで決まる所定の閾値（電流値）よりも少なくなるので、全ての接続アダプタ３０から伝送線Ｌ上に許可信号が出力されなくなる。
【００５８】
そして、このように全ての接続アダプタ３０から許可信号が出力されなくなれば、電源装置５０内の電源切換回路６０にてその旨が検出されて、システム用電源回路５４の動作が停止される。
【００５９】
よって、本実施形態のテレビ放送信号伝送システムによれば、テレビ受信装置２８の動作時にテレビ放送信号が伝送されなくなるのを防止し得る範囲内で、ブースタ１０の動作期間を最小限に抑えることができるようになり、延いては、当該テレビ放送信号伝送システムでの電力消費量を必要最小限に抑えて、テレビ放送信号伝送システムを良好に省エネ化することができる。
【００６０】
また、電源装置５０内の電源切換回路６０は、全ての接続アダプタ３０から許可信号が送信されてこなくなると、電源プラグ５２からシステム用電源回路５４への商用電源の入力経路を遮断することにより、システム用電源回路５４の動作を停止させる。
【００６１】
そして、この状態では、電源装置５０内での消費電力量が、内部回路用電源回路６２から電源切換回路６０に供給される許可信号判定用の電力量に抑えられることから、テレビ放送信号伝送システムの省エネ化をより促進することができる。
【００６２】
つまり、全ての接続アダプタ３０から許可信号が送信されていないときに、電源装置５０からブースタ１０への電源供給を停止させるには、システム用電源回路５４から出力端子Ｔ３に至る電源電圧の出力経路を遮断するようにしてもよいが、このようにすると、ブースタ１０の動作を停止させて、ブースタ１０による消費電力は低減できるものの、電源装置５０内でブースタ１０の電源電圧を生成するのに用いられるシステム用電源回路５４は常時動作することになる。
【００６３】
しかし、本実施形態では、全ての接続アダプタ３０から許可信号が出力されていないとき（換言すれば、全てのテレビ受信装置２８が受信動作を停止しているとき）には、電源装置５０内で、電源プラグ５２からシステム用電源回路５４への商用電源の入力経路を遮断するようにされているので、ブースタ１０だけでなく、電源装置５０内での消費電力についても必要最小限に抑え、テレビ放送信号伝送システムの省エネ化をより促進することができるようになるのである。
【００６４】
なお、本実施形態においては、ブースタ１０が、本発明の伝送機器に相当し、接続アダプタ３０内の検出部３８、電流検出回路４０及びコンパレータ４２は、本発明の判定手段に相当し、このうちコンパレータ４２は、本発明の判定回路に相当し、接続アダプタ３０内の信号生成回路４４は、本発明の制御手段に相当し、電源装置５０内の電源切換回路６０は、本発明の電源供給切換手段に相当する。
【００６５】
以上、本発明の一実施形態について説明したが、本発明は上記実施形態に限定されるものではなく、本発明の要旨を逸脱しない範囲内にて、種々の態様をとることができる。
（変形例１）
例えば、上記実施形態では、接続アダプタ３０に、電源プラグ３２から電源コンセント３４に至る電源線Ｄ１に流れる電流を検出部３８及び電流検出回路４０を設け、この電流検出回路４０にて検出された電流が所定の閾値以上であるときに、テレビ受信装置２８が動作していると判定するものとして説明した。
【００６６】
しかし、判定手段としての機能を実現するには、必ずしもテレビ受信装置２８での消費電流（若しくは消費電圧又は消費電力）を検出する必要はなく、例えば、テレビ受信装置２８を遠隔操作するリモートコントロール装置からの送信信号に基づき、テレビ受信装置２８の動作状態を判定するようにしてもよい。
【００６７】
すなわち、図４に例示するように、上記実施形態の検出部３８、電流検出回路４０、コンパレータ４２に代えて、接続アダプタ３０内に、テレビ受信装置２８のリモートコントロール装置からの送信信号を受信するリモコン受信部３９と、このリモコン受信部３９からの受信信号に基づき、リモートコントロール装置からテレビ受信装置２８に送信された操作指令（コマンド）を識別し、その識別したコマンドからテレビ受信装置２８の動作状態を判定する操作判定部４１と、を設け、この操作判定部４１による判定結果に従い、信号生成回路４４が許可信号を生成するようにしても、上記実施形態と同様の効果を得ることができる。
【００６８】
なお、リモコン受信部３９は、本発明（詳しくは請求項４）の受信手段に相当し、操作判定部４１は、本発明（詳しくは請求項４）の操作判定手段に相当する。
（変形例２）
また、上記実施形態では、電源装置５０は、ブースタ１０とは別体で構成されており、伝送線Ｌの端末側（例えばテレビ端子１６）に接続されて、伝送線Ｌを介してブースタ１０に電源電圧を供給するものとして説明したが、例えば、図５に示すように、ブースタ１０に電源装置５０が内蔵されている場合であっても、上記実施形態と同様に、端末側の接続アダプタ３０から送信されてくる許可信号に基づきシステム用電源回路５４の動作を切り換え、テレビ放送信号伝送システムの省エネ化を図ることができる。
【００６９】
すなわち、ブースタ１０には、混合器８から受信信号（地上波受信信号）を取り込むための地上波入力端子Ｔ４、及び、衛星受信アンテナ６から受信信号（衛星波受信信号）を取り込むための衛星波入力端子Ｔ５が備えられている。
【００７０】
そして、地上波入力端子Ｔ４に入力された地上波受信信号は、衛星波受信信号の通過を阻止し、地上波受信信号を選択的に通過させるためのローパスフィルタ（ＬＰＦ）７２を介して、ブースタ１０内に取り込まれ、増幅回路７４にて所定レベルまで増幅された後、ＬＰＦ７２と同様に構成されたＬＰＦ７６を介して、ハイパスフィルタ（ＨＰＦ）８４へ出力される。
【００７１】
また、衛星波入力端子Ｔ５に入力された地上波受信信号は、地上波受信信号の通過を阻止し、衛星波受信信号を選択的に通過させるためのＨＰＦ７８を介して、ブースタ１０内に取り込まれ、増幅回路８０にて所定レベルまで増幅された後、ＨＰＦ７８と同様に構成されたＬＰＦ８２を介してＨＰＦ８４へ出力される。
【００７２】
ＨＰＦ８４は、増幅回路７４、８０にて増幅された各受信信号を通過させ、伝送線Ｌを介して端末側から伝送されてくる許可信号の通過を阻止するためのものであり、ＨＰＦ８４を通過した受信信号は、出力端子Ｔ６から伝送線Ｌ上に送出される。
【００７３】
また、ブースタ１０には、電源プラグ５２、メイン電源回路５４ａ、サブ電源回路６２ａ、電源切換回路６０からなる電源装置５０が設けられており、メイン電源回路５４ａにて生成した電源電圧（例えば、ＤＣ１５Ｖ）を、増幅回路７４、８０に直接供給し、電源切換回路６０には、サブ電源回路６２ａから電源電圧（例えば、ＤＣ５Ｖ）を供給するようにされている。
【００７４】
そして、出力端子Ｔ６には、伝送線Ｌから入力された許可信号を選択的に通過させ、ＨＰＦ８４から出力された上記各受信信号の通過を阻止するためのＬＰＦ８６が接続されている。
【００７５】
なお、メイン電源回路５４ａは、第１実施形態におけるシステム用電源回路５４に相当し、サブ電源回路６２ａは、第１実施形態における内部回路用電源回路６２に相当する。
従って、ブースタ１０内に電源装置５０を内蔵するようにしても、端末側に設けられた複数の接続アダプタ３０の少なくとも一つから許可信号が伝送されてきている場合には、メイン電源回路５４ａ、延いては、増幅回路７４、８０を通常動作させ、逆に、全ての接続アダプタ３０が許可信号の出力を停止している場合には、メイン電源回路５４ａ及び増幅回路７４、８０の動作を停止させることができ、上記実施形態と同様、ブースタ１０や電源装置５０での消費電力量を低減することが可能となる。
【００７６】
なお、上記実施形態では、各接続アダプタ３０から出力される許可信号に基づき、ブースタ１０に電源供給を行う電源装置５０の動作を切り換えるものとして説明したが、例えば、衛星受信アンテナ６に設けられるコンバータ等、他の伝送機器に電源供給を行う電源装置の動作を、各接続アダプタ３０から出力される許可信号に基づき切り換えるようにしても、上記実施形態と同様、テレビ放送信号伝送システムの消費電力量を抑えて、テレビ放送信号伝送システムを省エネ化することができる。
【００７７】
また、上記実施形態では、接続アダプタ３０は、電源コンセントから商用電源を取り込み、その取り込んだ商用電源をテレビ受信装置２８に供給するものとして説明したが、接続アダプタ３０は、無停電電源装置やバッテリ等の商用電源とは異なる外部電源から電源供給を受けて、テレビ受信装置２８に電源供給を行うように構成してもよい。
【００７８】
つまり、接続アダプタ３０は、テレビ受信装置２８への電源の供給状態からテレビ受信装置２８の動作状態を検出できればよく、テレビ受信装置２８に供給する電源については、無停電電源装置等の商用電源以外の電源供給源から得られる電源であってもよい。
【００７９】
また、上記実施形態では、電源装置５０は、商用電源から電源供給を受けて動作するものとして説明したが、この電源装置５０についても、無停電電源装置やバッテリ等の商用電源とは異なる外部電源から電源供給を受けて動作するものであってもよい。
【符号の説明】
【００８０】
２…ＶＨＦアンテナ、４…ＵＨＦアンテナ、６…衛星受信アンテナ、８…混合器、１０…ブースタ、１２…分配器、Ｌ…伝送線、１４，１６…テレビ端子、２４，２６…電源コンセント、２８…テレビ受信装置、３０…接続アダプタ、Ｔ１…入力端子、Ｔ２…出力端子、Ｌ１…伝送線、３２…電源プラグ、３４…電源コンセント、Ｄ１…電源線、３８…検出部、３９…リモコン受信部、４０…電流検出回路、４１…操作判定部、４２…コンパレータ、４４…信号生成回路、４８…電源回路、５０…電源装置、５２…電源プラグ、５４…システム用電源回路、５４ａ…メイン電源回路、５６…直流通過フィルタ、Ｔ３…出力端子、５８…フィルタ回路、６０…電源切換回路、６２…内部回路用電源回路、６２ａ…サブ電源回路、６４…整流平滑回路、６６…レギュレータ、６８…電源スイッチ、７２，７６，８６…ＬＰＦ、７４…増幅回路、７８，８２，８４…ＨＰＦ、８０…増幅回路、Ｔ４…地上波入力端子、Ｔ５…衛星波入力端子、Ｔ６…出力端子。
【図１】
2011229138.tif 000003
【図２】
2011229138.tif 000004
【図３】
2011229138.tif 000005
【図４】
2011229138.tif 000006
【図５】
2011229138.tif 000007